(57)【要約】【課題】ＯＬＥＤによる光源に対して、発光効率が高く且つ発光寿命が長く、生産性が良好で製造コストも安く、外的要因による不具合の発生が少ない光源を用いて、輝度むらの少ない照明光を照射する照明装置を提供することにある。【解決手段】夫々が複数のルーバー１１、２１を有すると共に夫々が該ルーバー１１、２１の昇降位置及び回動角度を個別に操作することができる一対のブラインド１０、２０を、所定の間隔の空間３０を置いて対向するように設け、前記空間３０の上部にＬＥＤ光源３を配置して該空間３０をＬＥＤ光源３からの出射光を導光する導光空間とした。そして、一対のブラインド１０、２０の夫々のルーバー１１、２１の昇降位置及び回動角度を個別に操作することにより、ＬＥＤ光源３から出射して導光空間を導光される光の光路制御を行って照射光として照射するようにした。【選択図】図１
2015138747.tif 000002
【特許請求の範囲】
【請求項１】
所定の間隔空間を置いて対向配置された、夫々が、互いに連動して昇降及び回動操作が可能な複数のルーバーを有する一対のブラインドと、
前記間隔空間の上部に配置されたＬＥＤ光源とを備え、
前記ＬＥＤ光源から出射して前記空間間隔を導光された光が、前記一対のブラインドの夫々のルーバーの昇降及び回動を個別に操作することにより光路制御されて照明光として前記ルーバー外に照射されることを特徴とする照明装置。
【請求項２】
前記間隔空間は、前記ＬＥＤ光源側が最も広く、前記ＬＥＤ光源から離れるにつれて狭くなっていることを特徴とする請求項１に記載の照明装置。
【請求項３】
前記一対のブラインドの夫々のルーバーは略長方形の平板状からなり、前記ルーバーの長手方向に沿う両端面は前記長手方向に沿う１段の階段形状を有しており、前記夫々のブラインドのルーバーが閉じた際に、互いに隣接するルーバーの前記１段の段差形状の端面同士が嵌合して全てのルーバーが略平面状に位置することを特徴とする請求項１又は請求項２に記載の照明装置。
【請求項４】
前記一対のブラインドの夫々のルーバーは、前記ルーバーの両側に設けられたガイドレールに沿って昇降することを特徴とする請求項１〜請求項３のいずれかに記載の照明装置。
【請求項５】
前記一対のブラインドは、窓ガラスに対峙して配設されていることを特徴とする請求項１〜請求項４のいずれかに記載の照明装置。
【発明の詳細な説明】
【技術分野】
【０００１】
本発明は、照明装置に関するものであり、詳しくは、光源からの出射光を光量制御して照明光とする照明装置に関する。
【背景技術】
【０００２】
従来、この種の照明装置としては、例えば、特許文献１に「照明窓」として開示されたものがある。
【０００３】
それは、図８にあるように、第１の透明な平面窓ガラス８０と第２の透明な平面窓ガラス８１が対峙して配置され、第１の窓ガラス８０は屋内側（ＩＮＴ）に位置し、第２の窓ガラス８１は屋外側（ＥＸＴ）に位置している。第１の窓ガラス８０の屋内側（ＩＮＴ）には、ほぼ全領域に亘って透明な有機ＬＥＤ(以下、「ＯＬＥＤ」と略称する)８２が配置されると共に保護用の窓ガラス８３で覆われて照明装置８４が構成されている。
【０００４】
第１の窓ガラス８０と第２の窓ガラス８１との間の空間には、制御及びモータユニット８５から吊り下げられたひも８６に取り付けられた複数のラメラ８７が互いに平行に並設されてなる日光遮蔽装置８８が配設され、制御及びモータユニット８５の作動によりひも８６を介してラメラ８７の昇降及び第１の窓ガラス８０（第２の窓ガラス８１）に対するラメラ８７の角度αの調整が行われる。
【０００５】
日中は、第２の窓ガラス８１を透過してラメラ８７の昇降あるいは角度調整によって光量制御された日光（外光）が、第１の窓ガラス８０及び照明装置８４を透過して屋内（ＩＮＴ）に導入され、夜間は、ＯＬＥＤ８２から屋内（ＩＮＴ）方向に出射した光が保護用窓ガラス８３を透過して屋内（ＩＮＴ）に導入され、屋外（ＥＸＴ）方向に出射した光はメラメ８７によって遮蔽されて屋外（ＥＸＴ）への漏れが防止される。場合によっては、メラメ８７の屋内（ＩＮＴ）側の面に光反射処理を施し、ＯＬＥＤ８２から屋外（ＥＸＴ）方向に出射した光をメラメ８７で屋内（ＩＮＴ）方向に反射させることにより、屋内（ＩＮＴ）方向に戻して屋内（ＩＮＴ）に導入することもできる。
【先行技術文献】
【特許文献】
【０００６】
【特許文献１】特表２０１０−５２６４０５号公報
【発明の概要】
【発明が解決しようとする課題】
【０００７】
ところで、上記構成の照明窓は、夜間の照明用光源となるＯＬＥＤが大型化に伴って生産効率が低下し、特に、窓ガラスに対応する大きさになると、材料費、製造設備費及び歩留り等を含めた製造コストが極めて高くなる。
【０００８】
また、ＯＬＥＤは、照明に用いる光源（照明用光源）としては発光効率が低く、発光寿命も短い。更に、窓に配置されるため、外的要因により不具合を生じて信頼性を損なう恐れがある。具体的には、物理的振動や衝撃等による損傷、熱、水分あるいは紫外線等による素子劣化等が考えられる。大型化により、不具合が生じた場合の取り替えも手間がかかり困難なものとなる。
【０００９】
そこで、本発明は上記問題に鑑みて創案されたものであり、その目的とするところは、ＯＬＥＤによる光源に対して、発光効率が高く且つ発光寿命が長く、生産性が良好で製造コストも安く、外的要因による不具合の発生が少ない光源を用いて、輝度むらの少ない照明光を照射する照明装置を提供することにある。
【課題を解決するための手段】
【００１０】
上記課題を解決するために、本発明の請求項１に記載された発明は、所定の間隔空間を置いて対向配置された、夫々が、互いに連動して昇降及び回動操作が可能な複数のルーバーを有する一対のブラインドと、前記間隔空間の上部に配置されたＬＥＤ光源とを備え、前記ＬＥＤ光源から出射して前記空間間隔を導光された光が、前記一対のブラインドの夫々のルーバーの昇降及び回動を個別に操作することにより光路制御されて照明光として前記ルーバー外に照射されることを特徴とするものである。
【００１１】
また、本発明の請求項２に記載された発明は、請求項１において、前記間隔空間は、前記ＬＥＤ光源側が最も広く、前記ＬＥＤ光源から離れるにつれて狭くなっていることを特徴とするものである。
【００１２】
また、本発明の請求項３に記載された発明は、請求項１又は請求項２において、前記一対のブラインドの夫々のルーバーは略長方形の平板状からなり、前記ルーバーの長手方向に沿う両端面は前記長手方向に沿う１段の階段形状を有しており、前記夫々のブラインドのルーバーが閉じた際に、互いに隣接するルーバーの前記１段の段差形状の端面同士が嵌合して全てのルーバーが略平面状に位置することを特徴とするものである。
【００１３】
また、本発明の請求項４に記載された発明は、請求項１〜請求項３のいずれかにおいて、前記一対のブラインドの夫々のルーバーは、前記ルーバーの両側に設けられたガイドレールに沿って昇降することを特徴とするものである。
【００１４】
また、本発明の請求項５に記載された発明は、請求項１〜請求項４のいずれかにおいて、前記一対のブラインドは、窓ガラスに対峙して配設されていることを特徴とするものである。
【発明の効果】
【００１５】
本発明の照明装置は、ＬＥＤ光源からの出射光の光路制御を、夫々が複数のルーバーを有すると共に夫々が該ルーバーの昇降位置及び回動角度を個別に操作することができる一対のブラインドの、夫々のルーバーを適宜個別に操作することにより行い、照射光として照射するようにした。
【００１６】
その結果、光路制御されて照射光となった光は所望の配光特性を有するものとなり、照明対象物に対して良好な視認性が確保できると共に快適な照明空間を演出することができる。
【図面の簡単な説明】
【００１７】
【図１】実施形態の照明装置の断面図である。
【図２】同じく、実施形態の照明装置の断面図である。
【図３】ルーバーの説明図である。
【図４】ルーバーの昇降の説明図である。
【図５】ルーバーの収納の説明図である。
【図６】ルーバーによる光路制御の説明図である。
【図７】ルーバーによる光路制御の説明図である。
【図８】従来例の説明図である。
【発明を実施するための形態】
【００１８】
以下、この発明の好適な実施形態を図１〜図７を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００１９】
図１及び図２は実施形態の照明装置の断面図であり、そのうち、図１はブラインドのルーバーを下げて閉じた状態を示し、図２はルーバーを上げて収納した状態を示している。
【００２０】
本実施形態の照明装置１は、ベネチアンブラインド（以下、「ブラインド」と略称する）２とＬＥＤ光源３との組み合わせによる照明装置であり、昼間は、屋内に入射する外光の光量をブラインド２によって調整し、夜間は、屋内に取り入れるＬＥＤ光の光量及び配光特性をブラインド２によって調整するものである。
【００２１】
ブラインド２は第１のブラインド１０及び第２のブラインド２０の一対からなり、夫々のブラインド１０、２０は上方から吊り下げられ、夫々のルーバー１１、２１を下降させ且つ閉じた状態においては互いのルーバー１１、２１同士が所定の間隔の空間(間隔空間)３０を隔てて対向すると共に、上部側から下部側に向けて間隔空間３０が徐々に狭まっている。
【００２２】
一対のブラインド２は透明窓ガラス４と対峙して並設され、窓ガラス側（屋外側）に第１のブラインド１０、窓ガラス４と反対側（屋内側）に第２のブラインド２０が配設されている。一対のブラインド２の上方には、光出射方向を下方に向けたＬＥＤ光源３が取り付けられると共に、図示してはいないが、各ブラインド１０、２０の夫々の複数のルーバー１１、２１の昇降位置及び回動角度を制御する昇降制御機構及び回動制御機構が取り付けられた上部支持部５を備えている。上部支持部５には、上昇させた（巻き取った）ルーバー１１、２１を収納するルーバー収納部５ａを有している。
【００２３】
また、上部支持部５の下方には、上部支持部５に取り付けられたＬＥＤ光源３に対向する面６ａを反射面とすると共に、夫々のルーバー１１、２１を下降させ且つ閉じた状態においてルーバー１１、２１の先端が係止される係止部６ｂを有する下部支持部６を備えている。
【００２４】
上部支持部５及び下部支持部６は夫々、窓ガラス４の上部及び下部も支持している。
【００２５】
各ルーバー１１、２１は図３（ルーバーの説明図）に示すように、いずれも略長方形の平板状からなっており、夫々の長手方向に沿う両端面１１ａ、２１ａの中央部に、昇降制御機構及び回動制御機構に機能的に連動する機能連動部１７、２７に繋がりルーバー１１、２１の昇降及び回動を機能的に支持する機能支持部１１ｂ、２１ｂが設けられており、機能連動部１７、２７に繋がる機能支持部１１ｂ、２１ｂを介して昇降及び回動がなされる。また、各ルーバー１１、２１は、夫々の長手方向に沿う両端面１１ａ、２１ａが、該長手方向に沿う１段の階段形状を有しており、下降して閉じた状態（Ａ）になると、互いに隣接するルーバー１１、２１の１段の段差形状の端面同士が嵌合して全てのルーバー１１、２１が略平面状に並んだ状態となる。
【００２６】
その場合、夫々のルーバー１１、２１の屋内側を向く面１１ｃ、２１ｃはいずれも鏡面反射面としている。あるいは、夫々のルーバー１１、２１の屋内側を向く面１１ｃ、２１ｃを鏡面反射面とする代わりに、ルーバー１１、２１自体を反射遮光部材（例えば、白色遮光部材）で形成することにより、屋内側を向く面１１ｃ、２１ｃを白色反射面とすることも可能である。
【００２７】
各ルーバー１１、２１の回動は、閉じた状態（Ａで示した状態）から、機能支持部１１ｂ、２１ｂを支点として上部１１ｄ、２１ｄが屋外側（窓ガラス側）に、夫々のルーバー１１、２１の昇降方向に対して略垂直となる角度β（Ｃで示した状態）の範囲で、適宜な角度α（Ｂで示した状態）に設定される。
【００２８】
各ルーバー１１、２１の昇降は、図４（ルーバーの昇降の説明図）に示すように、夫々の機能支持部１１ｂ、２１ｂが、該機能支持部１１ｂ、２１ｂの外側近傍に配設された、上方から下方に向けて互いの間隔を徐々に狭めたガイドレール１５、２５に設けられたガイド溝１５ａ、２５ａ内を摺動することによりなされる。
【００２９】
各ルーバー１１、２１を上部支持部５のルーバー収納部５ａに収納する場合は、図５（ルーバの収納の説明図）に示すように、全てのルーバー１１、２１を機能連動部１７、２７に繋がる機能支持部１１ｂ、２１ｂを支点として回動して重なる方向に向け、上方に引き上げることにより下部のルーバー１１、２１から順次上部のルーバー１１、２１に重なって上昇し、最終的には夫々のルーバー１１、２１の全てが重なった状態でルーバー収納部５ａに収納される。
【００３０】
そこで、ブラインド２の使用に際しては、第１のブラインド１０と第２のブラインド２０の夫々のルーバー１１、２１が独立して操作され、互いのルーバー１１、２１の操作の組み合わせによって適切な照明環境を得ることができる。
【００３１】
具体的には、昼間においては、例えば、第１のブラインド１０と第２のブラインド２０の両方のルーバー１１、２１を上部支持部５のルーバー収納部５ａに収納することにより、窓ガラス４を透過した外光がそのまま屋内に差し込み（図２参照）、第１のブラインド１０のルーバー１１と第２のブラインド２０のルーバー２１のいずれか一方又は両方を下まで下降して下降したルーバーを閉じた状態にすることにより、窓ガラス４を透過した外光のほとんどを遮光することができる(図１参照)。
【００３２】
それ以外の操作、つまり、第１のブラインド１０と第２のブラインド２０の夫々のルーバー１１、２１の昇降位置及び回動角度を適宜設定することにより、屋内に差し込む外光の光量を所望する光量に調整することができる。
【００３３】
一方、夜間においては、図６（ルーバーによる光路制御の説明図）に示すように、第１のブラインド１０のルーバー１１を下まで下降して閉じた状態とし、第２のブラインド２０のルーバー２１を下まで下降して回動角度を適宜な角度に設定することにより、ＬＥＤ光源３から出射して第１のブラインド１０と第２のブラインド２０との間に設けられた間隔空間（導光空間）３０内を導光された光のうち、その一部の光Ｌ１が、第１のブラインド１０のルーバー１１の、屋内側を向く面１１ｃの反射面で反射されてその反射光が第２のブラインド２０の、回動されたルーバー２１の間を通って屋内の下方に向けて取り入れられ、同様に、一部の光Ｌ２が、第２のブラインド２０のルーバー２１の、屋内側を向く面２１ｃの反射面で反射されてその反射光が屋内に取り入れられる。したがって、ＬＥＤ光源３から出射して第１のブラインド１０のルーバー１１で反射された光Ｌ１と第２のブラインド２０のルーバー２１で反射された光Ｌ２の両方の光が効率良く屋内に取り入れられ、ＬＥＤ光源３からの光の利用効率が高まって明るい照明装置が実現する。
【００３４】
また、図７（ルーバーによる光路制御の説明図）に示すように、第１のブラインド１０のルーバー１１と第２のブラインド２０のルーバー２１が互いの中間位置にくるように上下方向にずらし、且つ、互いのルーバー１１、２１を適宜な回動角度に設定することにより、ＬＥＤ光源３から出射して第１のブラインド１０と第２のブラインド２０との間に設けられた間隔空間３０内を導光された光のうち、その一部の光Ｌ１が、第１のブラインド１０のルーバー１１の、屋内側を向く面１１ｃの反射面で反射されてその反射光が第２のブラインド２０の、回動されたルーバー２１の間を通って屋内に取り入れられ、同様に、ＬＥＤ光源３から出射して第１のブラインド１０のルーバー１１で反射された光Ｌ１と第２のブラインド２０のルーバー２１で反射された光Ｌ２の両方の光が効率良く屋内に取り入れられ、ＬＥＤ光源３からの光の利用効率が高まって明るい照明装置が実現する。
【００３５】
この場合、第１のブラインド１０のルーバー１１で反射されて屋内に取り入れられる光Ｌ１と、第２のブラインド２０のルーバー２１で反射されて屋内に取り入れられる光Ｌ２は、互いのルーバー１１、２１の昇降位置及び回動角度を適宜に設定することにより、互いに同一方向に向けることができる。つまり、互いに略平行光として屋内に取り入れることができる。その結果、ＬＥＤ光源３からの出射光が効率良く屋内に取り入れられ、光の利用効率が高まって明るい照明装置が実現すると同時に、屋内に取り入れられた光は配光特性が良好なものとなり、照明対象物に対して視認性が良好な照明装置が実現できる。
【００３６】
なお、第２のブラインド２０のルーバー２１を、拡散透過性の部材（例えば、白色半透明部材）で形成するか、あるいは透光性樹脂で形成して表面に光拡散処理を施すことも考えられる。
【００３７】
この場合、昼間においては、例えば、第１のブラインド１０と第２のブラインド２０の両方のルーバー１１、２１を上部支持部５のルーバー収納部５ａに収納することにより、窓ガラス４を透過した外光がそのまま屋内に差し込み、少なくとも第１のブラインド１０のルーバー１１を下まで下降して下降したルーバー１１を閉じた状態にすることにより、窓ガラス４を透過した外光のほとんどを遮光することができる。
【００３８】
また、第２のブラインド２０のルーバー２１のみを下まで下降して下降したルーバー１１を閉じた状態にすることにより、窓ガラス４を透過した外光を減光して屋内に差し込む光量を低減することができる。
【００３９】
その他、屋内に差し込む光の光量を所望の光量とするためには、第１のブラインド１０と第２のブラインド２０の夫々のルーバー１１、２１の昇降位置及び回動角度を適宜設定することにより可能となる。
【００４０】
一方、夜間においては、第２のブラインド２０のルーバー２１を上部支持部５のルーバー収納部５ａに収納し、第１のブラインド１０のルーバー１１のみを操作して昇降位置及び回動角度を適宜設定することにより、ＬＥＤ光源３から出射して第１のブラインド１０のルーバー１１で反射した反射光のみを屋内に取り入れることができる。
【００４１】
これに対して、第１のブラインド１０と第２のブラインド２０の夫々のルーバー１１、２１の昇降位置及び回動角度を適宜設定することにより、ＬＥＤ光源３から出射して第２のブラインド２０のルーバー２１を透過した拡散光と、ＬＥＤ光源３から出射して第１のブラインド１０のルーバー１１で反射した反射光が屋内に取り入れられる。
【００４２】
なお、下部支持部６の、ＬＥＤ光源３に対向する面６ａを反射面とすることにより、ＬＥＤ光源３から出射して間隔空間３０内を導光されたて直接反射面６ａに到達した光、及び、ＬＥＤ光源３から出射して第１のブライド１０のルーバー１１及び第２のブラインド２０のルーバー２１で反射した後に反射面６ａに到達した光が再度ＬＥＤ光源３側に戻され、ルーバー１１、２１によって屋内に向かうように導かれる。
【００４３】
これにより、ＬＥＤ光源３からの出射光が効率良く屋内に取り入れられ、ＬＥＤ光源３からの光の利用効率が高まって明るい照明装置が実現する。
【００４４】
以上説明したように、本発明の照明装置は、光源に、上記背景技術で説明した照明窓で用いられたＯＬＥＤの代わりにＬＥＤ光源を用いた。これにより、光源の面積が大幅に小型化され、光源にかかるコストを大幅に低減することができる。また、ＯＬＥＤが、特に、窓ガラスに対応する大きさになると、材料費、製造設備費及び歩留り等を含めた製造コストが極めて高くなるのに対し、ＬＥＤ光源はその大きさ自体が変わらないため製造コストが高くなることはない。
【００４５】
また、ＬＥＤ光源はＯＬＥＤに比べて発光効率が高く、発光寿命も長い。更に、物理的振動や衝撃等による損傷、熱、水分あるいは紫外線等による素子劣化等が少なく、信頼性が高い。また、照明装置が大型化しても不具合が生じた場合の取り替えも簡単にできる。
【００４６】
同時に、照明装置においては、ＬＥＤ光源からの出射光の光路制御を、夫々が複数のルーバーを有すると共に夫々が該ルーバーの昇降位置及び回動角度を個別に操作することができる一対のブラインドの、夫々のルーバーを適宜個別に操作することにより行うようにした。
【００４７】
そのため、光路制御されて屋内に取り入れられた照明光は所望の配光特性を有するものとなり、照明対象物に対して良好な視認性が確保できると共に快適な照明空間を演出することができる。
【符号の説明】
【００４８】
１…  照明装置
２…  ベネチアンブラインド
３…  ＬＥＤ光源
４…  窓ガラス
５…  上部支持部
５ａ…  ルーバー収納部
６…  下部支持部
６ａ…  面
６ｂ…  係止部
１０…  第１のブラインド
１１…  ルーバー
１１ａ…  端面
１１ｂ…  機能支持部
１１ｃ…  面
１１ｄ…  上部
１５…ガイドレール
１５ａ…  ガイド溝
１７…  機能連動部
２０…  第２のブラインド
２１…  ルーバー
２１ａ…  端面
２１ｂ…  機能支持部
２１ｃ…  面
２１ｄ…  上部
２５…  ガイドレール
２５ａ…  ガイド溝
２７…  機能連動部
３０…  間隔空間（導光空間）
【図１】
2015138747.tif 000003
【図２】
2015138747.tif 000004
【図３】
2015138747.tif 000005
【図４】
2015138747.tif 000006
【図５】
2015138747.tif 000007
【図６】
2015138747.tif 000008
【図７】
2015138747.tif 000009
【図８】
2015138747.tif 000010